(57)【要約】【課題】部位毎の肉厚差の存在に起因する、成型時の樹脂の流動性の悪化や内部応力の発生を好適に抑制して、樹脂成形品たる保持器の成形性を向上することのできる玉軸受用樹脂製保持器を提供する。また、樹脂製保持器の体積を上記従来に比して減少させることにより、玉軸受の内部空間に封入するグリースの漏れ出しを抑制しつつ、グリース封入可能量を増大させることができる軸受用樹脂製保持器を提供する。【解決手段】樹脂により形成されるとともに、当該玉軸受の転動体である玉を保持する保持器であって、円環形状の基部１０と、その基部１０の円周上に等間隔に並んで突出形成された複数の爪部１１と、を有し、隣接する爪部１１の間に上記玉を収容するポケットの形成された玉軸受用樹脂製保持器において、爪部１１の先端部分１１ａ、及び基部１０の背面１０ａにそれぞれ肉盗みのための凹部１３，１４を形成した。【選択図】図２
2009074683.tif 000002
【特許請求の範囲】
【請求項１】
樹脂により形成されるとともに、当該玉軸受の転動体である玉を保持する保持器であって、円環形状の基部と、その基部の円周上に等間隔に並んで突出形成された複数の爪部と、を有し、隣接する前記爪部の間に前記玉を収容するポケットの形成された玉軸受用樹脂製保持器において、
前記爪部の先端部分に、肉盗みのための凹部を形成した
ことを特徴とする玉軸受用樹脂製保持器。
【請求項２】
前記基部の背面に、肉盗みのための凹部を形成した
ことを特徴とする請求項１に記載の玉軸受用樹脂製保持器。
【請求項３】
樹脂により形成されるとともに、当該玉軸受の転動体である玉を保持する保持器であって、円環形状の基部と、その基部の円周上に等間隔に並んで突出形成された複数の爪部と、を有し、隣接する前記爪部の間に前記玉を収容するポケットの形成された玉軸受用樹脂製保持器において、
前記基部の背面に、肉盗みのための凹部を形成した
ことを特徴とする玉軸受用樹脂製保持器。
【請求項４】
当該保持器は、アンギュラ玉軸受に適用される
ことを特徴とする請求項１〜３のいずれか１項に記載の玉軸受用樹脂製保持器。
【発明の詳細な説明】
【技術分野】
【０００１】
本発明は、玉軸受に採用される樹脂製保持器に関する。
【背景技術】
【０００２】
玉軸受は、内輪、外輪、それらの間に介設される複数の玉、各玉を互いに離間して保持する保持器により構成されている。近年、こうした玉軸受の保持器として、射出成型により形成された樹脂製の保持器が広く利用されており、例えば特許文献１には、アンギュラ玉軸受用の樹脂製保持器の一例が記載されている。こうした樹脂製保持器は、図５に示すように、円環形の基部２０と、その基部２０の円周上に等間隔に並んで突出形成された複数の爪部２１とを有し、隣接する爪部２１の間に玉を収容するための凹球面のポケット２２が形成された、略王冠形状に形成されている。
【特許文献１】特開平７−１９００６９号公報（特にその図１５）
【発明の開示】
【発明が解決しようとする課題】
【０００３】
ところで、こうした樹脂製保持器では、そのポケット２２に球体を収容する都合上、爪部２１の中央部分から先端部分にかけて、肉厚が急激に拡大した形状となっている。こうした急激な肉厚の変化は、射出成形時の樹脂の流動性を悪化させて、ひけや気泡の発生などの成形不良を招く虞がある。また肉厚差があると、成形時の樹脂の冷却時間にむらができ、内部応力が発生して形状歪みを招く虞がある。
【０００４】
また、樹脂製保持器を装着する玉軸受の外輪と内輪とに囲まれた空間（以後、「内部空間」とする。）には、潤滑のためのグリースが封入される。玉軸受の寿命を大きくするためにはより多くのグリースを封入することが望ましいが、グリースが内部空間外部に漏れ出すと、安全上または美観上問題となる。グリースの漏れ出しを抑制しつつより多くのグリースを封入するためには内部空間が大きいことが望ましいのであるが、樹脂製保持器を挿入することによりこの内部空間の実質体積を減少させてしまうため問題となっていた。
【０００５】
本発明は、こうした実状に鑑みてなされたものであって、その目的は、部位毎の肉厚差の存在に起因する、成型時の樹脂の流動性の悪化や内部応力の発生を好適に抑制して、樹脂成形品たる保持器の成形性を向上することのできる玉軸受用樹脂製保持器を提供することにある。
【０００６】
また、樹脂製保持器の体積を上記従来に比して減少させることにより、樹脂製保持器が装着された場合の玉軸受の内部空間の実質体積を上記従来に比して増大させるとともに、内部空間に封入するグリースの漏れ出しを抑制しつつ、グリース封入可能量を増大させることができる軸受用樹脂製保持器を提供することにある。
【課題を解決するための手段】
【０００７】
上記目的を達成するため、本発明の玉軸受用樹脂製保持器では、樹脂により形成されるとともに、当該玉軸受の転動体である玉を保持する保持器であって、円環形状の基部と、その基部の円周上に等間隔に並んで突出形成された複数の爪部と、を有し、隣接する前記爪部の間に前記玉を収容するポケットの形成された玉軸受用樹脂製保持器において、前記爪部の先端部分に、肉盗みのための凹部を形成したことをその要旨とする。
【０００８】
上記構成では、本来肉厚が局所的に厚くなる爪部の先端部分に、肉盗みのための凹部が形成されることで、その肉厚が抑えられ、樹脂製保持器における全体的な肉厚の均一化が図られるようになる。そのため、部位毎の肉厚差に起因する、成形時の樹脂の流動性の悪化や内部応力の発生が好適に抑えられ、樹脂成形品としての成形性が向上されるようになり、ひいては保持器の寸法形状を高い精度で形成することができるようになる。
【０００９】
また、爪部の先端部分に、肉盗みのための凹部を形成したため、玉軸受用樹脂製保持器全体の体積を上記従来に比して小さくすることが可能となる。従って、この玉軸受用樹脂製保持器が装着される玉軸受の内部空間に多くの空間を残すことが可能となるため、玉軸受の内部空間に封入できるグリース量が多くなる。また、同量のグリースを封入する場合にはグリースを保持する空間が大きくなったことにより、グリース漏れを抑制することが可能となる。
【００１０】
更に、爪部の先端部分に、肉盗みのための凹部を形成したため、玉軸受用樹脂製保持器の形状が出入りの多い複雑な形状となる。そのため玉軸受の内部空間に封入されたグリースの流動性を抑えることにより、グリースが軸受内部に漏れ出すことを一層抑制することが可能となる。
【００１１】
なお、上記のような円環形状の基部、及びその基部より突出形成された複数の爪部を備える略王冠形状の樹脂製保持器では、爪部の先端部分だけでなく、その基部も局所的に肉厚が増大した部位となる。そこでそうした基部の背面にも、肉盗みのための凹部を形成することとすれば、更なる肉厚の均一化が図られるようになり、樹脂成形品としての成形性が更に向上されるようになる。
【００１２】
また上記目的を達成するため、本発明では、樹脂により形成されるとともに、当該玉軸受の転動体である玉を保持する保持器であって、円環形状の基部と、その基部の円周上に等間隔に並んで突出形成された複数の爪部と、を有し、隣接する前記爪部の間に前記玉を収容するポケットの形成された玉軸受用樹脂製保持器において、前記基部の背面に、肉盗みのための凹部を形成したことをその要旨とする。
【００１３】
かかる構成では、本来肉厚が局所的に厚くなる基部に、肉盗みのための凹部がその背面から形成されることで、その肉厚が抑えられ、樹脂製保持器における全体的な肉厚の均一化が図られるようになる。そのため、部位毎の肉厚差に起因する、成形時の樹脂の流動性の悪化や内部応力の発生が好適に抑えられ、樹脂成形品としての成形性が向上されるようになり、ひいては保持器の寸法形状を高い精度で形成することができるようになる。
【００１４】
また、基部の背面に、肉盗みのための凹部を形成を形成したため、玉軸受用樹脂製保持器全体の体積を上記従来に比して小さくすることが可能となる。従って、この玉軸受用樹脂製保持器が装着される玉軸受の内部空間に多くの空間を残すことが可能となるため、玉軸受の内部空間に封入できるグリース量が多くなる。また、同量のグリースを封入する場合にはグリースを保持する空間が大きくなったことにより、グリース漏れを抑制することが可能となる。
【００１５】
更に、基部の背面に、肉盗みのための凹部を形成したため、玉軸受用樹脂製保持器の形状が出入りの多い複雑な形状となる。そのため玉軸受の内部空間に封入されたグリースの流動性を抑えることにより、グリースが軸受内部に漏れ出すことを一層抑制する。
【００１６】
なお、こうした樹脂製保持器は、上記の如く形成される基部及び爪部からなる王冠形状の保持器を採用するアンギュラ玉軸受への適用が好適なものとなっている。
【発明の効果】
【００１７】
本発明の玉軸受用樹脂製保持器によれば、保持器の全体的な肉厚の均一化が図られることで、成形時の樹脂の流動性の悪化や内部応力の発生を好適に抑え、樹脂成形品たる保持器の成形性を向上することができる。
【００１８】
また、樹脂製保持器の体積を上記従来に比して減少させることにより、装着された場合の玉軸受の内部空間の実質体積を増大させるとともに、内部空間に封入するグリースの漏れ出しを抑制しつつ、グリース封入可能量を増大させることができる軸受用樹脂製保持器を提供することができる。
【発明を実施するための最良の形態】
【００１９】
以下、本発明の玉軸受用樹脂製保持器を具体化した一実施の形態を、図１〜図４を参照して詳細に説明する。本実施の形態の保持器は、樹脂の射出成型により形成されて、アンギュラ玉軸受に採用されるものとなっている。
【００２０】
図１（ａ）に、こうした本実施の形態の樹脂製保持器の斜視構造を、同図１（ｂ）にその側面構造をそれぞれ示す。同図に示すように、樹脂製保持器は、円環状の基部１０と、その基部１０の円周上に等間隔に並んで突出形成された複数（同図では１４個）の爪部１１とを有した、略王冠形状に形成されている。こうした樹脂製保持器の隣接する爪部１１の間の部分には、アンギュラ玉軸受の転動体である玉が収容される、凹球面のポケット１２が形成されている。本実施の形態では、こうした樹脂製保持器において本来、肉厚が局所的に大となる爪部１１の先端部分１１ａ、及び基部１０の背面１０ａに、肉盗みのための凹部１３，１４を形成することで、樹脂成型品である保持器の肉厚の均一化を図るようにしている。
【００２１】
図２及び図３に、こうした樹脂製保持器の爪部１１及びその周辺部を拡大して示して示す。なお図２は、そうした爪部１１及びその周辺部の斜視構造を、図３は、その側面構造をそれぞれ示している。これらの図に示されるように、爪部１１は、凹球面となるポケット１２を形成するため、先端部に向うほど幅広に形成されている。
【００２２】
図４（ａ）は、図３のＡ−Ａ線に沿った爪部１１の断面構造を示している。同図に示されるように、爪部１１の先端部分１１ａは、その上面より凹部１３が穿設されている。こうした凹部１３によって、同図にハッチングで示される部分Ａの肉盗みを行うことで、本来は局所的に肉厚が大となる爪部１１の先端部分１１ａにおける肉厚が抑えられている。
【００２３】
一方、図４（ｂ）は、図３のＢ−Ｂ線に沿った基部１０の断面構造を示している。同図に示すように、本実施の形態の樹脂製保持器では、その基部１０にも、その背面１０ａから凹部１４が穿設されている。図４（ｃ）に、図３のＣ−Ｃ線に沿った樹脂製保持器の断面構造を示すように、この凹部１４は、本来、より肉厚が大となる爪部１１の直下の部分においてはより深く形成されている。そしてこうした凹部１４によって、同図（ｂ）（ｃ）にハッチングで示される部分Ｂの肉盗みを行うことで、本来肉厚が局所的に大となる基部１０の肉厚が抑えられてもいる。
【００２４】
本実施形態の玉軸受用樹脂製保持器によれば、次の効果を奏することができる。
（１）本来、肉厚が局所的に大となる爪部１１の先端部分１１ａに肉盗みのための凹部１３を形成することとして、その肉厚を抑えるようにしている。また同様に肉厚が局所的に大となる基部１０にも、その背面１０ａに、肉盗みのための凹部１４を形成することとして、その肉厚を抑えるようにしている。そのため、樹脂製保持器全体の肉厚の均一化が図られ、肉厚差に起因する、成型時の樹脂の流動性の悪化や内部応力の発生を抑制して、樹脂成型品たる保持器の成形性を好適に向上することができる。
【００２５】
（２）樹脂製保持器の成形性を向上して、その寸法形状の精度が高められたことで、これを採用するアンギュラ玉軸受の軸受としての性能が向上されるようにもなる。
（３）また、爪部１１の先端部分１１ａに肉盗みのための凹部１３を形成するとともに、基部１０にもその背面１０ａに肉盗みのための凹部１４を形成したため、玉軸受用樹脂製保持器全体の体積を上記従来に比して小さくすることが可能となる。従って、この玉軸受用樹脂製保持器が装着される玉軸受の内部空間に多くの空間を残すことが可能となるため、玉軸受の内部空間に封入できるグリース量が多くなる。また、同量のグリースを封入する場合にはグリースを保持する空間が大きくなったことにより、グリース漏れを抑制することが可能となる。
【００２６】
更に、爪部１１の先端部分１１ａに肉盗みのための凹部１３を形成するとともに、基部１０にもその背面１０ａに肉盗みのための凹部１４を形成したため、玉軸受用樹脂製保持器の形状が出入りの多い複雑な形状となる。そのため玉軸受の内部空間が分断され、グリースの移動が妨げられる。また、玉軸受用樹脂製保持器の形状が出入りの多い複雑な形状であるため表面積が大きくなるため、グリースと玉軸受用樹脂製保持器との間に生じる流体摩擦が大きくなり、グリースの過剰な移動を妨げる効果を有する。従って、玉軸受の内部空間に封入されたグリースの流動性が抑制されるため、グリース漏れが一層抑制されることが期待できる。
【００２７】
なお、上記実施形態は以下のように変更してもよい。
・上記実施形態では、樹脂製保持器の爪部１１の先端部分１１ａ、及び基部１０の背面１０ａにそれぞれ肉盗みのための凹部１３，１４を形成するようにしていたが、肉盗みのための凹部をそれらの一方のみに形成することとしても良い。この場合にも、本来肉厚が局所的に大となる部位の肉厚が抑えられるため、樹脂製保持器の成形性をある程度に向上することはできる。
【００２８】
・上記実施形態では、アンギュラ玉軸受に採用される樹脂製保持器について説明したが、本発明の玉軸受用樹脂製保持器は、アンギュラ玉軸受以外の玉軸受にも同様或いはこれに準じた態様で適用することが可能である。
【００２９】
以上説明した本発明の実施の形態及びその変形例から把握される技術思想を、その作用効果とともに以下に記載する。
（イ）円環形状の基部とその基部の円周上に等間隔に並んで突出形成された複数の爪部とを有して、隣接する前記爪部の間に、当該玉軸受の転動体である玉を収容するポケットの形成された樹脂製の保持器を備える玉軸受において、前記保持器の前記爪部の先端部分に、肉盗みのための凹部を形成したことを特徴とする玉軸受。かかる構成では、樹脂成型品たる保持器にあって、本来肉厚が局所的に大となるその爪部の先端部分に肉盗みのための凹部が形成されたことで、保持器全体の肉厚の均一化が図られるようになる。そのため、肉厚差に起因する、成型時の樹脂の流動性の悪化や内部応力の発生が抑えられ、保持器の成形性が向上するようになる。したがって、寸法形状の精度の高い樹脂保持器を備える好適な玉軸受を提供することができる。
【００３０】
（ロ）前記保持器の前記基部の背面に、肉盗みのための凹部を形成したことを特徴とする上記（イ）に記載の玉軸受。かかる構成によれば、爪部の先端部分と同様に、本来肉厚となる基部にも、肉盗みのための凹部がその背面に形成されるため、保持器の更なる肉厚の均一化が図られ、その成形性が更に向上されるようになる。
【００３１】
（ハ）円環形状の基部とその基部の円周上に等間隔に並んで突出形成された複数の爪部とを有して、隣接する前記爪部の間に、当該玉軸受の転動体である玉を収容するポケットの形成された樹脂製の保持器を備える玉軸受において、前記保持器の前記基部の背面に、肉盗みのための凹部を形成したことを特徴とする玉軸受。かかる構成によれば、樹脂成型品たる保持器にあって、本来肉厚が局所的に大となるその基部の背面に肉盗みのための凹部が形成されたことで、保持器全体の肉厚の均一化が図られるようになる。そのため、肉厚差に起因する、成型時の樹脂の流動性の悪化や内部応力の発生が抑えられ、保持器の成形性が向上するようになる。したがって、寸法形状の精度の高い樹脂保持器を備える好適な玉軸受を提供することができる。
【００３２】
（ニ）当該玉軸受は、アンギュラ玉軸受とされてなる上記（イ）〜（ハ）のいずれか１項に記載の玉軸受。上記（イ）〜（ハ）に記載の玉軸受は、上記の如く形成される基部及び爪部からなる王冠形状の保持器を採用するアンギュラ玉軸受への適用が好適なものとなっている。
【図面の簡単な説明】
【００３３】
【図１】本発明の玉軸受用樹脂製保持器の一実施形態について（ａ）その斜視構造、及び（ｂ）その側面構造をそれぞれ示す斜視図及び側面図。
【図２】同樹脂製保持器の爪部及びその周辺部の斜視構造を拡大して示す斜視図。
【図３】同樹脂製保持器の爪部及びその周辺部の側面構造を拡大して示す側面図。
【図４】同樹脂製保持器について、（ａ）はその図３のＡ−Ａ線に沿った断面構造を、（ｂ）はその図３のＢ−Ｂ線に沿った断面構造を、（ｃ）はその図３のＣ−Ｃ線に沿った断面構造をそれぞれ拡大して示す断面図。
【図５】従来の玉軸受用樹脂製保持器についてその斜視構造を示す斜視図。
【符号の説明】
【００３４】
１０…基部（１０ａ…背面）、１１…爪部（１１ａ…先端部分）、１２…ポケット、１３，１４…肉盗みのための凹部。
【図１】
2009074683.tif 000003
【図２】
2009074683.tif 000004
【図３】
2009074683.tif 000005
【図４】
2009074683.tif 000006
【図５】
2009074683.tif 000007